(57)【要約】      （修正有）【課題】還元側の酸化還元電位に対して電極の性能が正常であるか否かをより確実に検査することを可能とする酸化還元電位測定装置の電極検査方法及び酸化還元装置の電極検査用の標準液を提供する。【解決手段】測定電極２１及び比較電極２２を被検液に浸漬して被検液の酸化還元電位を測定する酸化還元電位測定装置１の電極を検査する方法であって、水に亜硫酸塩とキンヒドロンとを添加して調製された容器４内の標準液５に測定電極２１及び比較電極２２を浸漬する工程を有する構成とする。【選択図】図１
2010145380.tif 000002
【特許請求の範囲】
【請求項１】
測定電極及び比較電極を被検液に浸漬して被検液の酸化還元電位を測定する酸化還元電位測定装置の電極を検査する方法であって、水に亜硫酸塩とキンヒドロンとを添加して調製された容器内の標準液に前記測定電極及び前記比較電極を浸漬する工程を有することを特徴とする酸化還元電位測定装置の電極検査方法。
【請求項２】
前記標準液は、水１００ｍＬに対して２．１ｇ以上、８ｇ以下の量のキンヒドロンが添加されていることを特徴とする請求項１に記載の酸化還元電位測定装置の電極検査方法。
【請求項３】
前記標準液は、水１００ｍＬに対して３ｇ以上、５ｇ以下の量のキンヒドロンが添加されていることを特徴とする請求項２に記載の酸化還元電位測定装置の電極検査方法。
【請求項４】
測定電極及び比較電極を被検液に浸漬して被検液の酸化還元電位を測定する酸化還元電位測定装置の電極を検査する方法であって、水に亜硫酸塩とキノンとを添加して調製された容器内の標準液に前記測定電極及び前記比較電極を浸漬する工程を有することを特徴とする酸化還元電位測定装置の電極検査方法。
【請求項５】
測定電極及び比較電極を被検液に浸漬して被検液の酸化還元電位を測定する酸化還元電位測定装置の電極を検査する方法であって、水に亜硫酸塩とヒドロキノンとを添加して調製された容器内の標準液に前記測定電極及び前記比較電極を浸漬する工程を有することを特徴とする酸化還元電位測定装置の電極検査方法。
【請求項６】
前記標準液は、飽和濃度の亜硫酸塩を含むことを特徴とする請求項１〜５のいずれかに記載の酸化還元電位測定装置の電極検査方法。
【請求項７】
前記標準液を収容する容器には亜硫酸塩の結晶が存在することを特徴とする請求項６に記載の酸化還元電位測定装置の電極検査方法。
【請求項８】
測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とキンヒドロンとを添加して調製されることを特徴とする酸化還元電位測定装置の電極検査用の標準液。
【請求項９】
水１００ｍＬに対して２．１ｇ以上、８ｇ以下の量のキンヒドロンが添加されていることを特徴とする請求項８に記載の酸化還元電位測定装置の電極検査用の標準液。
【請求項１０】
水１００ｍＬに対して３ｇ以上、５ｇ以下の量のキンヒドロンが添加されていることを特徴とする請求項９に記載の酸化還元電位測定装置の電極検査用の標準液。
【請求項１１】
測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とキノンとを添加して調製されることを特徴とする酸化還元電位測定装置の電極検査用の標準液。
【請求項１２】
測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とヒドロキノンとを添加して調製されることを特徴とする酸化還元電位測定装置の電極検査用の標準液。
【請求項１３】
飽和濃度の亜硫酸塩を含むことを特徴とする請求項８〜１２のいずれかに記載の酸化還元電位測定装置の電極検査用の標準液。
【請求項１４】
前記容器には亜硫酸塩の結晶が存在することを特徴とする請求項１３に記載の酸化還元電位測定装置の電極検査用の標準液。
【発明の詳細な説明】
【技術分野】
【０００１】
本発明は、測定電極及び比較電極を被検液に浸漬して被検液の酸化還元電位を測定する酸化還元電位測定装置の電極を検査する方法、及びその検査に使用する標準液に関するものである。
【背景技術】
【０００２】
酸化還元電位測定装置は、ある物質が他の物質を酸化、或いは還元する力の度合いを測定するのに用いられている。酸化還元可逆平衡状態にある水溶液に水素電極と白金電極を挿入すると、１つの可逆電池が構成され、その溶液の酸化還元平衡状態に応じて一定の電位差が検出される。この電位差のことを酸化還元電位（ＯＲＰ：Oxidation-Reduction Potential）と呼ぶ。酸化還元電位は、下記式（ネルンストの式）で表すことができる。
Ｅｈ＝Ｅ0＋（ＲＴ／ｎＦ）×ｌｎ（［Ｏｘ］／［Ｒｅｄ］）
（但し、［Ｏｘ］：酸化物の活量、［Ｒｅｄ］：還元物の活量、Ｅ0：［Ｏｘ］＝［Ｒｅｄ］のときの酸化還元電位（標準電位差）、Ｆ：ファラデー定数、ｎ：１分子あたり授受される電子の数、Ｒ：気体定数、Ｔ：水溶液の温度（絶対温度））
【０００３】
上記式のＥ0は、［Ｏｘ］＝［Ｒｅｄ］のときの酸化還元電位であり、それぞれの酸化還元系において固有の値を有している。標準水素電極（ＮＨＥ：Normal Hydrogen Electrode）は、水素イオンの活量が１であるような溶液、例えば１．１８ｍｏｌ塩酸溶液中に、白金黒をつけた白金電極を浸し、１気圧の水素ガスを通じて得られる。標準水素電極の電位はすべての温度において０ｍＶであると約束され、国際的な基準電極として受け入れられている。酸化還元電位Ｅｈは、標準水素電極を基準にしたときの電位として表される。しかしながら、水素電極は構成が複雑で実用的でないため、酸化還元電位の測定は、通常、白金電極等の酸化還元電位測定電極（測定電極）と比較電極を被検液の中に入れ、その時の指示値を読み取ることにより行われる。この場合に使用される比較電極は標準水素電極とは異なり、銀／塩化銀電極やカロメル電極（甘コウ電極）が用いられるので、得られた指示値は正しい酸化還元電位Ｅｈ値ではない。酸化還元電位Ｅｈ値を得るためには、標準水素電極と比較電極との電位差の値（比較電極の単極電位）を測定値に加える必要がある。
【０００４】
酸化還元電位の測定では、測定電極の汚れなどによって電位が変動することがあるため、一定の温度において一定の酸化還元電位を有する安定した標準液（チェック液）を用いることで、電極の性能が正常であるか否かを判断することが行われる。
【０００５】
従来、このような酸化還元電位測定装置の電極を検査するための標準液としては、キンヒドロンをフタル酸塩ｐＨ標準液（ｐＨ４．０１）などに溶解した標準液（キンヒドロン標準液）が用いられている（例えば、特許文献１）。
【０００６】
従来のキンヒドロン標準液の酸化還元電位は、例えば比較電極としての銀−塩化銀電極（電解液：３．３ｍｏｌ／Ｌ・ＫＣｌ）を基準として２５℃では２５６ｍＶを示す。このキンヒドロン標準液は、被検液の酸化還元電位が酸化系電位、還元系電位のいずれであるかに関わらず用いられている。
【特許文献１】特開平３−２６１８５４号公報
【発明の開示】
【発明が解決しようとする課題】
【０００７】
しかしながら、従来のキンヒドロン標準液の酸化還元電位は、上述のように、例えば比較電極としての銀−塩化銀電極（電解液：３．３ｍｏｌ／Ｌ・ＫＣｌ）を基準として２５℃において２５６ｍＶであり、酸化側の電位を示す。カロメル電極（電解液：飽和ＫＣｌ）、銀−塩化銀電極（電解液：飽和ＫＣｌ）などの、その他の比較電極を基準とした場合でも、従来のキンヒドロン標準液の酸化還元電位は、通常の使用温度（例えば、０℃〜５５℃）にて酸化側の電位を示す。
【０００８】
従って、従来のキンヒドロン標準液は、酸化側の電位に対して電極の性能が正常であるか否かの確認には適しているが、還元側でも電極の性能が正常であるか否かの確認には適していない。一般の使用においては、酸化側の電位について電極の性能が正常であれば、還元側の電位についても電極の性能が正常であるものとすることが可能である。しかし、例えば主に還元側の電位の被検液の測定を行う使用者にとっては、還元側の電位についてもより確実な方法で電極を検査できることが望ましいことがある。例えば、ボイラー水の酸化還元電位測定においては、被検液が主に還元側の電位を示し、上述のように還元側の電位についても電極の性能をチェックしたいとする要望がある。
【０００９】
ここで、キンヒドロンを各種ｐＨ標準液に添加して溶解することにより得られる溶液は、そのｐＨに対応した酸化還元電位を示す。しかし、そのようなキンヒドロン溶液は、酸化方向の電位を示す酸性側のｐＨ領域では電位が安定しているが、還元方向の電位を示すアルカリ側のｐＨ領域では、時間経過とともに酸化還元電位が低下してしまい、酸化還元電位測定装置の電極の検査のための信頼性ある標準液として使用することが困難であることが分かった。
【００１０】
フタル酸塩ｐＨ標準液（ｐＨ４．０１）、中性りん酸塩ｐＨ標準液（ｐＨ６．８６）、ほう酸塩ｐＨ標準液（ｐＨ９．１８）の各ｐＨ標準液にキンヒドロンを添加して溶解することにより得られた溶液の酸化還元電位の安定性を、それぞれ図５、図６、図７に示す。これらの図から、中性からアルカリ側のｐＨ領域で酸化還元電位の変動が著しいことがわかる。
【００１１】
又、キンヒドロン以外の化合物で検討したが、還元側の適度な酸化還元電位を安定して発生する、酸化還元電位測定装置の電極を検査するための標準液として適当なものがなかった。
【００１２】
従って、本発明の目的は、還元側の酸化還元電位に対して電極の性能が正常であるか否かをより確実に検査することを可能とする酸化還元電位測定装置の電極検査方法及び酸化還元装置の電極検査用の標準液を提供することである。
【課題を解決するための手段】
【００１３】
上記目的は本発明に係る酸化還元電位測定装置の電極検査方法及び酸化還元電位測定装置の電極検査用の標準液にて達成される。要約すれば、第１の本発明は、測定電極及び比較電極を被検液に浸漬して被検液の酸化還元電位を測定する酸化還元電位測定装置の電極を検査する方法であって、水に亜硫酸塩とキンヒドロンとを添加して調製された容器内の標準液に前記測定電極及び前記比較電極を浸漬する工程を有することを特徴とする酸化還元電位測定装置の電極検査方法である。本発明の一実施態様によると、前記標準液は、水１００ｍＬに対して２．１ｇ以上、８ｇ以下の量のキンヒドロンが添加されている。又、本発明の一実施態様によると、前記標準液は、水１００ｍＬに対して３ｇ以上、５ｇ以下の量のキンヒドロンが添加されている。
【００１４】
第２の本発明によると、測定電極及び比較電極を被検液に浸漬して被検液の酸化還元電位を測定する酸化還元電位測定装置の電極を検査する方法であって、水に亜硫酸塩とキノンとを添加して調製された容器内の標準液に前記測定電極及び前記比較電極を浸漬する工程を有することを特徴とする酸化還元電位測定装置の電極検査方法が提供される。
【００１５】
第３の本発明によると、測定電極及び比較電極を被検液に浸漬して被検液の酸化還元電位を測定する酸化還元電位測定装置の電極を検査する方法であって、水に亜硫酸塩とヒドロキノンとを添加して調製された容器内の標準液に前記測定電極及び前記比較電極を浸漬する工程を有することを特徴とする酸化還元電位測定装置の電極検査方法が提供される。
【００１６】
第４の本発明によると、測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とキンヒドロンとを添加して調製されることを特徴とする酸化還元電位測定装置の電極検査用の標準液が提供される。本発明の一実施態様によると、前記標準液は、水１００ｍＬに対して２．１ｇ以上、８ｇ以下の量のキンヒドロンが添加されている。又、本発明の一実施態様によると、前記標準液は、水１００ｍＬに対して３ｇ以上、５ｇ以下の量のキンヒドロンが添加されている。
【００１７】
第５の発明によると、測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とキノンとを添加して調製されることを特徴とする酸化還元電位測定装置の電極検査用の標準液が提供される。
【００１８】
第６の発明によると、測定電極及び比較電極を被検液に浸漬して被検液の酸化還元電位を測定する酸化還元電位測定装置の電極を検査するために、容器内に収容されて前記測定電極及び前記比較電極が浸漬される標準液であって、水に亜硫酸塩とヒドロキノンとを添加して調製されることを特徴とする酸化還元電位測定装置の電極検査用の標準液が提供される。
【００１９】
上記各本発明の一実施態様によると、前記標準液は、飽和濃度の亜硫酸塩を含む。好ましい一実施態様によれば、前記標準液を収容する容器には亜硫酸塩の結晶が存在する。
【発明の効果】
【００２０】
本発明によれば、還元側の酸化還元電位に対して電極の性能が正常であるか否かをより確実に検査することが可能となる。
【発明を実施するための最良の形態】
【００２１】
以下、本発明に係る酸化還元電位測定装置の電極検査方法及び酸化還元電位測定装置の電極検査用の標準液を図面に則して更に詳しく説明する。
【００２２】
先ず、本発明に従う酸化還元電位測定装置の電極検査用の標準液について説明する。
【００２３】
図５、図６及び図７を参照して前述したように、キンヒドロンを各種ｐＨ標準液に添加して溶解することによって得られる溶液の酸化還元電位は、その溶液のｐＨが酸性側であれば安定しているが、中性からアルカリ側では時間経過とともに変動してしまう。即ち、キンヒドロンをフタル酸塩ｐＨ標準液に溶解した場合は問題ないが、中性りん酸塩ｐＨ標準液、ほう酸塩ｐＨ標準液に溶解した場合は、時間経過とともにその溶液の酸化還元電位は変動する。
【００２４】
従って、そのようなキンヒドロン溶液では、還元側の電位を示すアルカリ側のｐＨ領域において信頼できる酸化還元電位は得られない。そのため、そのようなキンヒドロン溶液を用いて酸化還元電位測定装置の電極が正常であるか否かを判断する場合、酸化側の電位では判断できても還元側の電位での判断は困難である。本発明者は、キンヒドロンに代わる化合物がないかを検討した。
【００２５】
本発明者は、亜硫酸ナトリウムを水（純水）に添加した溶液の酸化還元電位を検討したところ、亜硫酸ナトリウムを単独で含む水溶液が、一定期間、還元側の酸化還元電位を安定して示すことが分かった。但し、この水溶液の酸化還元電位は−１１０ｍＶ程度と比較的高く、又光の影響を受けることが分かった。
【００２６】
一方、キンヒドロン溶液の酸化還元電位がアルカリ側のｐＨ領域で安定しないのは、その溶液に溶存している酸素とキンヒドロンが反応することによると考えられる。
【００２７】
そこで、亜硫酸ナトリウムが添加されたことで脱酸素状態になっている水溶液にキンヒドロンを添加した水溶液の酸化還元電位を検討したところ、酸化還元電位が−４００ｍＶ以下に変化し、且つ、より安定した酸化還元電位を示すことが分かった。
【００２８】
このように、水に亜硫酸ナトリウムのみを添加したのでは、酸化還元電位がまだ比較的高い値を示し、又光の影響を受け、一方、キンヒドロンのアルカリ性水溶液は酸化還元電位が安定しないところ、水に亜硫酸ナトリウムとキンヒドロンとを添加することによって、驚くべきことに、光の影響を受けず、又還元側の理想的な酸化還元電位をより安定して示す標準液が得られることが分かった。
【００２９】
尚、キンヒドロン溶液の酸化還元電位を、アルカリ側のｐＨ領域で安定させるに、その溶液の溶存酸素の濃度を実質的にゼロとすることが考えられ、一般的には、窒素曝気により溶存する酸素を追い出せば安定した指示が得られると考えられるが、実験の結果、注意深く曝気しても数十ｐｐｂの溶存酸素が残存するため安定した酸化還元電位を得ることが困難であった。
【００３０】
このように、本発明者は、亜硫酸塩とキンヒドロンとを水に溶解することによって得られた標準液は、ｐＨ９以上のアルカリ性を示すと共に、還元側の適当な酸化還元電位を安定して示すことを見出した。
【００３１】
即ち、本発明の一態様によれば、測定電極及び比較電極を被検液に浸漬して被検液の酸化還元電位を測定する酸化還元電位測定装置の電極を検査するために、容器内に収容されて測定電極及び比較電極が浸漬される、酸化還元電位測定装置の電極検査溶の標準液は、水に亜硫酸塩とキンヒドロンとを添加して調製される。
【００３２】
標準液の溶媒としては、通常、水、特に、純水が好適に用いられている。
【００３３】
亜硫酸塩としては、通常、亜硫酸ナトリウムを好適に使用できるが、これに限定されるものではなく、亜硫酸カリウム、亜硫酸リチウム、亜硫酸カルシウムなどを用いることもできる。
【００３４】
又、標準液は、亜硫酸塩を飽和濃度で含んでいることが好ましい。より好ましくは、亜硫酸塩は、標準液を収容する容器にその亜硫酸塩の結晶が存在する程度に添加される。
【００３５】
又、詳しくは後述するように、水１００ｍLに対する添加量で表したとき（以下単位は「ｇ／１００ｍＬ」とする。）、標準液は、キンヒドロンの添加量が、２．１ｇ／１００ｍＬ以上、８ｇ／１００ｍＬ以下であることが好ましい。より好ましくは、標準液は、キンヒドロンの添加量が、３ｇ／１００ｍＬ以上、５ｇ／１００ｍＬ以下である。
【００３６】
更に説明すると、キンヒドロンの酸化に影響する溶存酸素を電極の検査中に実質的に常時除くなどのためには、標準液中に亜硫酸塩が飽和濃度で、且つ、結晶が残存する程度に含まれていることが好ましい。例えば、溶媒として純水を用い、亜硫酸塩として亜硫酸ナトリウムを用いる場合、２５℃において４０ｇ／１００ｍＬ以上の添加量とすれば十分である。
【００３７】
上記亜硫酸ナトリウムの添加量が４０ｇ／１００ｍＬの溶液に、種々の添加量にてキンヒドロンを加えて標準液を調製し、２０時間以上撹拌しながらエージングした後の酸化還元電位の値を測定すると、下記表１のような酸化還元電位の結果が得られた。
【００３８】
【表１】
2010145380.tif 000003
【００３９】
キンヒドロンの添加量が１．８ｇ／１００ｍＬ以上で、−４３０ｍＶ〜−４５５ｍＶの酸化還元電位の値を示し、例えば、下水処理槽の嫌気性環境下の酸化還元電位の測定に用いられる電極の性能チェック用として理想的である。
【００４０】
又、この標準液の応答性は、図２に示すようになった。キンヒドロンの添加量が２．１ｇ／１００ｍＬ以上であれば、酸化還元電位の測定値は１０分以内に安定した。尚、酸化還元電位の測定値が安定するまでの時間は短ければ短いほどよいが、実用上は、２０分以内であれば問題ないことが多い。
【００４１】
又、上述のようにして調製した標準液のｐＨは、約９．６０を示し、キンヒドロンの添加量によるｐＨの変動は見られなかった。
【００４２】
以上から、酸化還元電位の値、応答速度などの点で、キンヒドロンの添加量が２．１ｇ／１００ｍＬ以上であることが好ましく、３ｇ／１００ｍＬ以上であることがより好ましいことが分かった。尚、不溶解キンヒドロンが過剰になりすぎるため、キンヒドロンの添加量の上限としては、８ｇ／１００ｍＬ以下であることが好ましく、５ｇ／１００ｍＬ以下であることがより好ましい。
【００４３】
尚、キンヒドロンの添加量を３ｇ／１００ｍＬ以上、例えば、４ｇ／１００ｍＬ、５ｇ／１００ｍＬと増加させても、ｐＨ、酸化還元電位とも、ほとんど同一の値を示した。これは、キンヒドロンの添加量を３ｇ／１００ｍＬ以上とする場合、添加したキンヒドロンの一部は固形として存在し、組成バランスが同一となり、一定の酸化還元電位の値を示すようになるためと考えられる。
【００４４】
図３は亜硫酸ナトリウムの添加量４０ｇ／１００ｍＬ、キンヒドロンの添加量３ｇ／１００ｍＬにおける、標準液の長時間安定性を調べた試験データである。又、調製の９０時間後における酸化還元電位、調製の４５日後に再度測定（測定開始後１５分）した酸化還元電位を下記表２に示す。電位変動は７ｍＶ以内であり、４５日後でも変動は小さかった。
【００４５】
【表２】
2010145380.tif 000004
【００４６】
図４は、標準液の更に長期的な寿命を調べた試験データである。約２ヶ月間指示変動は１０ｍV以内であり、一旦調製すれば、長期使用可能であることが分かった。
【００４７】
又、本発明者の更なる検討によれば、本発明に従う標準液は、一定の温度では一定の酸化還元電位を示し、即ち、温度変化に対する標準液の酸化還元電位の相関関係（温度特性）は一定である。従って、予め、当該温度特性を予め求めておくことで、電極の検査時には、標準液の温度に対応する標準液の酸化還元電位に対して、測定された酸化還元電位が許容範囲に入るか否かを判断することで、電極の性能が正常であるか否かを判断することができる。
【００４８】
ここで、キンヒドロンの成分について説明すれば、キンヒドロンは、ｐ−ベンゾキノン（ｐ−Benzoquinone）（キノン）とヒドロキノン（Hydroquinone）との１：１の混合物である。そこで、キンヒドロンの代わりに、キノンとヒドロキノンの各成分のみで用いても良好な酸化還元電位が得られるか検討した。
【００４９】
【化１】
2010145380.tif 000005
【００５０】
飽和亜硫酸ナトリウム溶液のｐＨは９．８２であり、ヒドロキノンを３ｇ／１００ｍＬの量にて添加すると、添加後の溶液のｐＨは８．５５となり、酸化還元電位は−３２０ｍＶ程度を示した。一方、飽和亜硫酸ナトリウム溶液にキノンを３ｇ／１００ｍＬの量にて添加すると、添加後の溶液のｐＨは１０．３０となり、酸化還元電位は−４４０ｍＶ程度を示した。
【００５１】
亜硫酸ナトリウムとヒドロキノン単独とを含む溶液では、亜硫酸ナトリウムの還元作用によりヒドロキノンがキノンに酸化されるのを抑えている。又、亜硫酸ナトリウムとキノン単独とを含む溶液では、キノンは還元されてヒドロキノンに変化していくと考えられるが、すべて変化するのではなく、ｐＨが一定であれば、キノンとヒドロキノンとがバランスされて、一定の酸化還元電位に収束されていくと考えられる。
【００５２】
キンヒドロンの代わりにヒドロキノンのみを亜硫酸ナトリウムと共存させた場合は、キンヒドロンの場合よりもｐＨが低くなり、そのため酸化還元電位もより高い値になる。この場合、ヒドロキノンはキノンに変化することなく安定していると考えられる。ただし、時間経過とともにヒドロキノンは着色していき、一部は大気酸素と接触してキノンに変化し、キンヒドロンの酸化還元電位に近づいてくると考えられる（キノンは褐色に着色、ヒドロキノンは無色）。
【００５３】
以上のような観点から、キノン、ヒドロキノンをそれぞれ単独で亜硫酸ナトリウムと共存させても、最終的にはキンヒドロンの酸化還元電位に収束してくると考えられる。従って、酸化還元電位の安定性や添加量の設定しやすさなどの観点から、標準液の調製にはキンヒドロンを用いることが好ましい。
【００５４】
但し、上述のように最終的にはキンヒドロンの酸化還元電位に近づくと考えられるが、当初、水に亜硫酸塩と、キノン単独、ヒドロキノン単独、又はキノン及びヒドロキノンと、を添加して標準液を調製してもよい。この場合、キノン単独、ヒドロキノン単独、又はキノン及びヒドロキノンのそれぞれの添加量は、標準液の所望の最終的な酸化還元電位が、前述の添加量にてヒドロキノンを添加して調製された標準液の酸化還元電位と同等となるように設定すればよい。
【００５５】
即ち、本発明の別の一態様では、測定電極及び比較電極を被検液に浸漬して被検液の酸化還元電位を測定する酸化還元電位測定装置の電極を検査するために、容器内に収容されて測定電極及び比較電極が浸漬される、酸化還元電位測定装置の電極検査用の標準液は、水に亜硫酸塩とキノンとを添加して調製される。又、本発明の別の一態様では、当該標準液は、水に亜硫酸塩とヒドロキノンとを添加して調製される。尚、当該標準液は、水に亜硫酸塩を添加すると共に、キノンとヒドロキノンとの両方を１：１とは異なる比にて添加して調製してもよい。
【００５６】
次に、本発明に係る酸化還元電位測定装置の電極検査方法について説明する。
【００５７】
本発明の一態様によれば、測定電極及び比較電極を被検液に浸漬して被検液の酸化還元電位を測定する酸化還元電位測定装置の電極を検査する方法は、水に亜硫酸塩とキンヒドロンとを添加して調製された容器内の標準液に測定電極及び比較電極を浸漬する工程を有する構成とされる。又、典型的には、当該方法は更に、標準液に浸漬された測定電極と比較電極との間の電位差に係る情報を検出する工程を有している。そして、検出された情報から認識される測定電極と比較電極との間の電位差が、予め設定された許容範囲に入っている場合には電極の性能は正常であると判断でき、一方その許容範囲から外れている場合には電極の性能が正常ではないと判断できる。
【００５８】
図１は、酸化還元電位測定装置の一例の概略ブロック図である。酸化還元電位測定装置１は、酸化還元電位測定電極（測定電極）２１と、比較電極２２と、電位差計３１を備えた本体３と、を有する。測定電極２１と比較電極２２とは、本体３の電位差計３１に接続されて使用される。又、測定電極２１と比較電極２２とは、一体的に酸化還元測定用複合電極２とされていてよい。又、測定電極２１、比較電極２２若しくは複合電極２と一体的に、又は単独で、温度検出手段（測温抵抗体素子を有する温度センサなど）が設けられ、測定電極２１と比較電極２２との間の電位差を測定する際の被検液又は標準液の温度を測定できるようになっていてよい。
【００５９】
測定電極２１としては、金属電極、特に、不活性金属電極である白金電極が好適に用いられる。又、比較電極２２としては、内部液として３．３ｍｏｌ／Ｌ・ＫＣｌを使用する銀−塩化銀電極、内部液として飽和ＫＣｌを用いるカロメル電極、内部液として飽和ＫＣｌを用いる銀−塩化銀電極などを好適に用いることができる。尚、比較電極として標準水素電極を用いることもできる。
【００６０】
本体３は、主に測定電極２１と比較電極２２との間の電位差に係る情報を検出するための電位差計３１を有するものであるが、その他に測定結果を表示するための表示器、測定の開始又は終了指示や各種設定を行うための操作部、電源回路等を有していてよい。
【００６１】
尚、本発明においては、酸化還元電位差測定装置自体は、任意の入手可能なものを用いることができる。
【００６２】
酸化還元電位測定装置１の電極の検査を行う際には、容器４に収容された本発明に従う標準液５に、測定電極２１と比較電極２２とを浸漬し、電位差計３１において測定電極２１と比較電極２２との間の電位差に係る情報を検出する。当該電位差に係る情報は、電位差の値自体、電位差に対応する適当に増幅等の処理がなされたアナログ若しくはデジタルのデータなど、当該電位差に対応した任意の形態の情報であってよい。本発明に従う標準液５は、一定の温度で一定の酸化還元電位を示すことから、ここで測定されたある温度における標準液５の酸化還元電位が、予め求められている対応する温度における酸化還元電位の許容範囲内（例えば±１０ｍＶ以内）に入るか否かにより、電極の性能の良否を判断することができる。
【００６３】
尚、前述のように、本発明の別の態様によれば、酸化還元電位測定装置の電極検査方法において、測定電極及び比較電極が浸漬される容器内の標準液は、水に亜硫酸塩とキノンとを添加して調製されたものであってもよいし、水に亜硫酸塩とヒドロキノンとを添加して調製されたものであってもよい。尚、当該標準液は、水に亜硫酸塩を添加すると共に、キノンとヒドロキノンとの両方を１：１とは異なる比にて添加して調製してもよい。
【００６４】
以上、本発明によれば、還元側の酸化還元電位に対して電極の性能が正常であるか否かをより確実に検査することが可能となる。
【図面の簡単な説明】
【００６５】
【図１】本発明に係る酸化還元電位測定装置の電極検査方法を適用し得る酸化還元電位測定装置の一例の概略ブロック図である。
【図２】本発明に係る酸化還元電位測定装置の電極検査用の標準液の酸化還元電位を示すグラフ図である。
【図３】本発明に係る酸化還元電位測定装置の電極検査用の標準液の酸化還元電位の安定性を示すグラフ図である。
【図４】本発明に係る酸化還元電位測定装置の電極検査用の標準液の寿命について調べた結果を示すグラフ図である。
【図５】フタル酸塩ｐＨ標準液にキンヒドロンを溶解した溶液の酸化還元電位を示すグラフ図である。
【図６】中性りん酸塩ｐＨ標準液にキンヒドロンを溶解した溶液の酸化還元電位を示すグラフ図である。
【図７】ほう酸塩ｐＨ標準液にキンヒドロンを溶解した溶液の酸化還元電位を示すグラフ図である。
【符号の説明】
【００６６】
１      酸化還元電位測定装置
２      酸化還元電位測定用複合電極
３      本体
４      容器
５      酸化還元電位差測定装置の電極検査用の標準液
２１    測定電極
２２    比較電極
３１    電位差計
【図１】
2010145380.tif 000006
【図２】
2010145380.tif 000007
【図３】
2010145380.tif 000008
【図４】
2010145380.tif 000009
【図５】
2010145380.tif 000010
【図６】
2010145380.tif 000011
【図７】
2010145380.tif 000012